(57)【要約】【課題】呼気採取容器に採取した呼気をどこでもすぐに検査することが可能な呼気検査器の提供。【解決手段】呼気採取容器の呼気出口に連結される連結部２と、呼気採取容器の呼気出口から導入される呼気を呼気導入口３Ａから呼気排出口３Ｂまで通過させる筒状部３と、呼気を検査するための試薬４であり、筒状部３内に収容される試薬４とを含む呼気検査器１であり、呼気を採取した呼気採取容器の呼気出口に連結部２を連結して、呼気採取容器内に採取された呼気を押し出すようにすると、呼気採取容器の呼気出口から筒状部３内に導入された呼気が呼気排出口３Ｂまで通過する間に、筒状部３内に収容された試薬と反応する。【選択図】図１
2020085816.tif 000002
【特許請求の範囲】
【請求項１】
呼気採取容器の呼気出口に連結される連結部と、
前記呼気採取容器の呼気出口から導入される呼気を呼気導入口から呼気排出口まで通過させる筒状部と、
前記呼気を検査するための試薬であり、前記筒状部内に収容される試薬と
を含む呼気検査器。
【請求項２】
前記呼気排出口を閉塞する出口蓋部であり、前記呼気排出口を開放可能な出口蓋部を含む請求項１記載の呼気検査器。
【請求項３】
前記呼気導入口を閉塞する入口蓋部であり、前記呼気出口に連結することにより開放される入口蓋部を含む請求項１または２に記載の呼気検査器。
【請求項４】
前記連結部は、前記呼気採取容器の呼気出口にねじ込むことにより連結されるものである請求項１から３のいずれか１項に記載の呼気検査器。
【発明の詳細な説明】
【技術分野】
【０００１】
本発明は、呼気採取容器に採取した呼気を検査するための呼気検査器に関する。
【背景技術】
【０００２】
人間の呼気（吐いた息）を検査用に収納するための呼気採取容器が知られている（例えば、特許文献１〜３参照。）。これらの呼気採取容器では、呼気入口から呼気を吹き込んで採取した後、呼気採取容器を分析装置に接続し、採取した呼気を分析装置に移動させて、呼気の分析を行う。
【先行技術文献】
【特許文献】
【０００３】
【特許文献１】特開２００３−１６６９１４号公報
【特許文献２】特許第３３０７８８９号公報
【特許文献３】特許第６１３２５７８号公報
【発明の概要】
【発明が解決しようとする課題】
【０００４】
上記のように、従来の呼気検査では、呼気採取容器に呼気を採取した後、採取した呼気を分析装置に移動して検査を行う必要があるため、検査のためには呼気採取容器を病院や検査機関等に持ち込む必要がある。
【０００５】
そこで、本発明においては、呼気採取容器に採取した呼気をどこでもすぐに検査することが可能な呼気検査器を提供することを目的とする。
【課題を解決するための手段】
【０００６】
本発明の呼気検査器は、呼気採取容器の呼気出口に連結される連結部と、呼気採取容器の呼気出口から導入される呼気を呼気導入口から呼気排出口まで通過させる筒状部と、呼気を検査するための試薬であり、筒状部内に収容される試薬とを含むものである。
【０００７】
本発明の呼気検査器によれば、呼気を採取した呼気採取容器の呼気出口に連結部を連結して、呼気採取容器内に採取された呼気を押し出すようにすると、呼気採取容器の呼気出口から筒状部内に導入された呼気が呼気排出口まで通過する間に、筒状部内に収容された試薬と反応する。
【０００８】
本発明の呼気検査器は、呼気排出口を閉塞する出口蓋部であり、呼気排出口を開放可能な出口蓋部を含むものであることが望ましい。本発明の呼気検査器によれば、検査前は呼気排出口を出口蓋部により閉塞して試薬が誤反応しないようにし、呼気を筒状部内に導入して通過させる際に呼気排出口を開放して試薬を呼気に反応させることが可能となる。
【０００９】
また、本発明の呼気検査器は、呼気導入口を閉塞する入口蓋部であり、呼気出口に連結することにより開放される入口蓋部を含むものであることが望ましい。本発明の呼気検査器によれば、呼気採取容器への連結前は呼気導入口を入口蓋部により閉塞して試薬が誤反応しないようにし、呼気採取容器の呼気出口に連結した際に呼気導入口を開放して試薬を呼気に反応させることが可能となる。
【００１０】
また、連結部は、呼気採取容器の呼気出口にねじ込むことにより連結されるものであることが望ましい。これにより、呼気検査器は、呼気採取容器の呼気出口にねじ込むだけで容易に取り付け、呼気の検査を行うことが可能となる。
【発明の効果】
【００１１】
（１）呼気採取容器の呼気出口に連結される連結部と、呼気採取容器の呼気出口から導入される呼気を呼気導入口から呼気排出口まで通過させる筒状部と、呼気を検査するための試薬であり、筒状部内に収容される試薬とを含む構成により、呼気を採取した呼気採取容器の呼気出口に連結し、呼気採取容器内に採取された呼気を押し出すようにすることで、呼気をどこでもすぐに検査することが可能となる。
【００１２】
（２）呼気排出口を閉塞する出口蓋部であり、呼気排出口を開放可能な出口蓋部を含む構成により、検査前は呼気排出口を出口蓋部により閉塞して試薬が誤反応しないようにすることが可能となる。
【００１３】
（３）呼気導入口を閉塞する入口蓋部であり、呼気出口に連結することにより開放される入口蓋部を含む構成により、呼気採取容器への連結前は呼気導入口を入口蓋部により閉塞して試薬が誤反応しないようにすることが可能となる。
【００１４】
（４）連結部が呼気採取容器の呼気出口にねじ込むことにより連結される構成により、呼気採取容器の呼気出口にねじ込むだけで容易に取り付け、呼気の検査を行うことが可能となる。
【図面の簡単な説明】
【００１５】
【図１】本発明の実施の形態における呼気検査器の断面図である。
【図２】図１の呼気検査器の使用状態を示す斜視図である。
【図３】図１の呼気検査器による呼気検査の様子を示す断面図である。
【発明を実施するための形態】
【００１６】
図１は本発明の実施の形態における呼気検査器の断面図、図２は図１の呼気検査器の使用状態を示す斜視図、図３は図１の呼気検査器による呼気検査の様子を示す断面図である。
【００１７】
図１および図２に示すように、本発明の実施の形態における呼気検査器１は、呼気採取容器１０に取り付けて使用するものである。呼気検査器１は、呼気採取容器１０の呼気出口１１に連結される連結部２と、呼気採取容器１０の呼気出口１１から導入される呼気を呼気導入口３Ａから呼気排出口３Ｂまで通過させる筒状部３と、筒状部３内に収容される試薬４とを有する。
【００１８】
呼気採取容器１０は、ガス透過性が低く、息の圧で膨らませられる程度の可撓性部材により形成されたものであり、一般的にサンプリングバッグと称されるような公知のものを使用することが可能である。呼気採取容器１０の形状はどのようなものでも良い。また、呼気出口１１が呼気入口を兼ねるものや、呼気出口１１の他に呼気入口を備えるもの等を使用することができる。また、呼気出口１１等にコック付きのものを使用することも可能である。
【００１９】
連結部２は、使用する呼気採取容器１０の呼気出口１１に対応して、嵌め込んだり、ねじ込んだりすることにより固定可能な構造となっている。なお、本実施形態における連結部２は、呼気採取容器１０の呼気出口１１の外周部に形成された雄ねじ部１２にねじ込み可能な雌ねじ部となっており、呼気採取容器１０の呼気出口１１にねじ込むことにより連結される。
【００２０】
筒状部３内に収容される試薬４は、液体や粉体等であり、筒状部３の内面に直接塗布したり、図示しない担持体に担持させた状態で筒状部３内に収容したりすることが可能である。また、試薬４は筒状部３内に直接投入しても良い。口臭を検知する場合、試薬４としては口臭の原因となる硫化水素を検知できるように、硫化物に反応する例えば酢酸鉛等を用いることができる。筒状部３は、プラスチック製やガラス製とすることができる。筒状部３は、試薬４の色が外部から認識できるように透明であることが望ましい。
【００２１】
筒状部３の呼気導入口３Ａには、呼気導入口３Ａを閉塞する入口蓋部５を設けている。この入口蓋部５は、通常は呼気導入口３Ａを閉塞し、呼気出口１１に連結することにより開放されるものとする。例えば、入口蓋部５は、薄い膜状の金属製シートとし、呼気導入口３Ａに連結した際に破れて呼気導入口３Ａが開放されるものとすることができる。
【００２２】
筒状部３の呼気排出口３Ｂには、呼気排出口３Ｂを閉塞する出口蓋部６を設けている。この出口蓋部６は、通常は呼気排出口３Ｂを閉塞し、呼気検査時に呼気排出口３Ｂを開放可能なものとする。例えば、出口蓋部６は、筒状部３の呼気排出口３Ｂを覆うように被せるキャップ状とし、呼気検査時には手で引き抜くことで取り外し可能なものとすることができる。
【００２３】
上記構成の呼気検査器１によれば、呼気を採取した呼気採取容器１０の呼気出口１１に連結部２を連結して、呼気採取容器１０内に採取された呼気を押し出すようにすると、呼気採取容器１０の呼気出口１１から筒状部３内に呼気が導入される。そして、呼気導入口３Ａから筒状部３内に導入された呼気が呼気排出口３Ｂまで通過する際に、筒状部３内に収容された試薬４と反応する。
【００２４】
このように、本実施形態における呼気検査器１によれば、呼気を採取した呼気採取容器１０の呼気出口１１に連結し、呼気採取容器１０内に採取された呼気を押し出すようにすることで、呼気をどこでもすぐに検査することが可能である。
【００２５】
また、本実施形態における呼気検査器１では、通常は呼気排出口３Ｂが出口蓋部６により閉塞されているので、検査前は筒状部３内の試薬が誤反応しないようになっている。そして、検査時には、出口蓋部６を取り外して呼気排出口３Ｂを開放することで、呼気を筒状部３内に導入して通過させ、試薬を呼気に反応させて検査することが可能となっている。
【００２６】
また、本実施形態における呼気検査器１では、通常は呼気導入口３Ａが入口蓋部５により閉塞されているので、呼気採取容器１０への連結前は筒状部３内の試薬が誤反応しないようになっている。そして、検査時には、呼気出口１１に連結することにより入口蓋部５が開放され、呼気を筒状部３内に導入して通過させ、試薬を呼気に反応させて検査することが可能となっている。
【００２７】
また、本実施形態における呼気検査器１では、連結部２が呼気採取容器１０の呼気出口１１にねじ込むだけで容易に取り付けることが可能であり、簡単に呼気の検査を行うことが可能となっている。
【産業上の利用可能性】
【００２８】
本発明の呼気検査器は、呼気採取容器に採取した呼気を検査するための呼気検査器として有用であり、特に、呼気採取容器に採取した呼気をどこでもすぐに検査することが可能な呼気検査器として好適である。
【符号の説明】
【００２９】
１  呼気検査器
２  連結部
３  筒状部
３Ａ  呼気導入口
３Ｂ  呼気排出口
４  試薬
５  入口蓋部
６  出口蓋部
１０  呼気採取容器
１１  呼気出口
１２  雄ねじ部
【図１】
2020085816.tif 000003
【図２】
2020085816.tif 000004
【図３】
2020085816.tif 000005